(57)【要約】【課題】長さの異なる昇降コードの昇降操作の繰り返しによって生じうるボトムレールの昇降動作に係る水平性を改善可能とする横型ブラインドを提供する。【解決手段】本発明に係る横型ブラインドは、長さが異なる複数の昇降コード１０Ｌ，１０Ｍ，１０Ｒを有し、複数の昇降コード１０Ｌ，１０Ｍ，１０Ｒのうち、少なくとも最短長さの昇降コード１０Ｒにおける初期設置時の伸び量が、最長長さの昇降コード１０Ｌにおける初期設置時の伸び量よりも小さいものとなっている。また、複数の昇降コード１０Ｌ，１０Ｍ，１０Ｒによって吊下支持されるボトムレール５が、操作部側ほど高くなるよう、予め傾斜して初期設置されている。【選択図】図３
2018053582.tif 000002
【特許請求の範囲】
【請求項１】
長さが異なる複数の昇降コードを有する横型ブラインドであって、
前記複数の昇降コードのうち、少なくとも最短長さの昇降コードを他の昇降コードに対し異なる性質のコードとしたことを特徴とする横型ブラインド。
【請求項２】
当該少なくとも最短長さの昇降コードにおける初期設置時の伸び量が、前記複数の昇降コードのうち最長長さの昇降コードにおける初期設置時の伸び量よりも小さいことを特徴とする、請求項１に記載の横型ブラインド。
【請求項３】
前記複数の昇降コードの移動速度を制限してスラットの下降時の移動速度を一定値以下に制動する速度調整装置を備えることを特徴とする、請求項１又は２に記載の横型ブラインド。
【請求項４】
当該少なくとも最短長さの昇降コードは、予め所定の荷重が付与されて伸ばされたストレッチコードよりなることを特徴とする、請求項１から３のいずれか一項に記載の横型ブラインド。
【請求項５】
当該少なくとも最短長さの昇降コードを前記ストレッチコードとするか否かの規定は、当該横型ブラインドの幅及び高さによって選定されていることを特徴とする、請求項４に記載の横型ブラインド。
【請求項６】
当該少なくとも最短長さの昇降コードは、単位長さあたりの延び量が予め小さい低伸性コードよりなることを特徴とする、請求項１から５のいずれか一項に記載の横型ブラインド。
【請求項７】
当該少なくとも最短長さの昇降コードを前記低伸性コードとするか否かの規定は、当該横型ブラインドの幅及び高さによって選定されていることを特徴とする、請求項６に記載の横型ブラインド。
【請求項８】
前記複数の昇降コードの各々によって吊下支持されるボトムレールが、操作部側で重くなるよう、左右方向で非対称の重量割合を有することを特徴とする、請求項１から７のいずれか一項に記載の横型ブラインド。
【請求項９】
前記ボトムレールの重量割合は、当該横型ブラインドの幅及び高さによって選定されていることを特徴とする、請求項８に記載の横型ブラインド。
【請求項１０】
前記複数の昇降コードの各々によって吊下支持されるボトムレールが、操作部側ほど高くなるよう、予め傾斜して初期設置されていることを特徴とする、請求項１から９のいずれか一項に記載の横型ブラインド。
【請求項１１】
前記ボトムレールの予め傾斜して初期設置される高さ調整は、当該横型ブラインドの幅及び高さによって選定されていることを特徴とする、請求項１０に記載の横型ブラインド。
【請求項１２】
長さが異なる複数の昇降コードを有する横型ブラインドであって、
前記複数の昇降コードにより吊下支持されるボトムレールが、操作部側ほど高くなるよう、予め傾斜して初期設置されていることを特徴とする横型ブラインド。
【請求項１３】
前記複数の昇降コードの移動速度を制限してスラットの下降時の移動速度を一定値以下に制動する速度調整装置を備えることを特徴とする、請求項１２に記載の横型ブラインド。
【発明の詳細な説明】
【技術分野】
【０００１】
本発明は、昇降コードの移動を手引き操作する横型ブラインドに関する。
【背景技術】
【０００２】
横型ブラインドは、ヘッドボックスから吊り下げられるラダーコードに支持された多数段のスラットを昇降させたり、チルトさせたりすることによって、室内に取り込む日射量の調整が可能となっている。
【０００３】
例えば、ラダーコードの下端にボトムレールが配置され、ボトムレールに取着された昇降コードをヘッドボックス内への引き込み及びヘッドボックスからの引き出しを行うことによって、ボトムレールを昇降させることによりスラットを昇降させることができる。
【０００４】
このような横型ブラインドの一種として、昇降コードの移動を手引き操作するものがある。この横型ブラインドでは、ボトムレールに一端部を取着した複数の昇降コードの各々の他端部はヘッドボックス内の端部近傍からコード導出口を経てヘッドボックスの外部へ導出される。
【０００５】
尚、当該昇降コードの各々の他端部をヘッドボックスの外部へ導出する際に、操作部に連結されたチルト操作棒を介してヘッドボックスの外部へ導出するものもある。この操作部には、ヘッドボックス内にギヤ機構が配設される。そのギヤ機構の入力軸は、ヘッドボックスに設けられた開口部からヘッドボックス外へ突出され、その入力軸の先端にチルト操作棒が連結される。このチルト操作棒の回転操作により、スラットの角度調節を可能としている。この入力軸は、ヘッドボックスからの昇降コードのコード導出口を兼ねている。
【０００６】
特に、操作部を介して導出される複数の昇降コードの末端は当該チルト操作棒内に案内されて、チルト操作棒の下端部において、つまみに接続する構成が知られている（例えば、特許文献１参照）。
【０００７】
そして、当該昇降コード或いは当該つまみを操作して、昇降コードをヘッドボックスから引き出せば、ボトムレールが引き上げられて、スラットが上昇する。
【０００８】
尚、このようなチルト操作棒を経て昇降コードの移動を手引き操作する横型ブラインドでは、ボトムレール及びスラットの自重によりスラットを下降させることになる。このため、ヘッドボックス内には昇降コードの移動をロックするストッパー装置が設けられる。
【０００９】
従って、昇降コードの引き出し操作を停止すれば、ストッパー装置が作動して、スラット及びボトムレールの自重降下が防止される。また、ストッパー装置の作動を解除すれば、スラット及びボトムレールはその自重に基づいて下降する。
【００１０】
ところで、このようなストッパー装置の作動解除でボトムレール及びスラットの自重によりスラットを自重降下させ、昇降コードの移動を操作することでスラットを上昇させる横型ブラインドに対し、そのスラットの下降を適当な速度で行い得るようブレーキ装置を設ける技法が知られている（例えば、特許文献２，３参照）。
【００１１】
このようなブレーキ装置は、昇降コードの移動速度を制限してスラットの下降時の移動速度を一定値以下に制動する速度調整装置として機能するものであり、速度調整装置を設けることで、下降時のみ減速してブレーキ力を働かせ減速してボトムレール及びスラットを降下させることができる。
【００１２】
この速度調整装置の設置により、ストッパー装置の作動解除でボトムレール及びスラットがその自重による下降する際に、その下降音やボトムレールの床面との衝突音を軽減させることができる。
【先行技術文献】
【特許文献】
【００１３】
【特許文献１】特開２０００−３１４２８３号公報
【特許文献２】特開２００５−３００８４号公報
【特許文献３】特開平１０−１４０９５０号公報
【発明の概要】
【発明が解決しようとする課題】
【００１４】
上述した昇降コードの移動を手引き操作する横型ブラインドでは、複数の昇降コードをヘッドボックス内で案内し、ヘッドボックスの異なる位置から分けて垂下させることになるため、それぞれの昇降コードの長さが異なるものとなる。尚、通常の昇降コードは、極細の合成繊維が編み込まれて構成されている。
【００１５】
しかしながら、このような長さが異なる複数の昇降コードを有する横型ブラインドにおいて、それぞれの昇降コードに同一荷重（ボトムレール）が付与されると、各昇降コードの単位長さあたりの荷重の違いにより、昇降コードの短いものほど伸び量が大きくなる傾向がある。このため昇降コードの伸び量は、当該荷重に依存し経時的にも変化する。従って、昇降コードの昇降操作の使用頻度が増大するに従い、昇降コードが伸びることに起因してボトムレールの水平性が維持されず、ボトムレールの上昇時の片上がり、又はボトムレールの下降時の片下がりが生じる。
【００１６】
特に、ヘッドボックス内にて、昇降コードの移動速度を制限してスラットの下降時の移動速度を一定値以下に制動する速度調整装置が設けられる場合には、比較的緩やかにスラット及びボトムレールが下降するため、ボトムレールの下降時の片下がりが目立つようになり、動的意匠性を損なうという問題がある。
【００１７】
本発明の目的は、上述の問題に鑑みて、長さの異なる昇降コードの昇降操作の繰り返しによって生じうるボトムレールの昇降動作に係る水平性を改善可能とする横型ブラインドを提供することにある。
【課題を解決するための手段】
【００１８】
本発明による第１態様の横型ブラインドは、長さが異なる複数の昇降コードを有する横型ブラインドであって、前記複数の昇降コードのうち、少なくとも最短長さの昇降コードを他の昇降コードに対し異なる性質のコードとしたことを特徴とする。
【００１９】
また、本発明による第１態様の横型ブラインドにおいて、当該少なくとも最短長さの昇降コードにおける初期設置時の伸び量が、前記複数の昇降コードのうち最長長さの昇降コードにおける初期設置時の伸び量よりも小さいことを特徴とする。
【００２０】
また、本発明による第１態様の横型ブラインドにおいて、前記複数の昇降コードの移動速度を制限してスラットの下降時の移動速度を一定値以下に制動する速度調整装置を備えることを特徴とする。
【００２１】
また、本発明による第１態様の横型ブラインドにおいて、当該少なくとも最短長さの昇降コードは、予め所定の荷重が付与されて伸ばされたストレッチコードよりなることを特徴とする。
【００２２】
また、本発明による第１態様の横型ブラインドにおいて、当該少なくとも最短長さの昇降コードを前記ストレッチコードとするか否かの規定は、当該横型ブラインドの幅及び高さによって選定されていることを特徴とする。
【００２３】
また、本発明による第１態様の横型ブラインドにおいて、当該少なくとも最短長さの昇降コードは、単位長さあたりの延び量が予め小さい低伸性コードよりなることを特徴とする。
【００２４】
また、本発明による第１態様の横型ブラインドにおいて、当該少なくとも最短長さの昇降コードを前記低伸性コードとするか否かの規定は、当該横型ブラインドの幅及び高さによって選定されていることを特徴とする。
【００２５】
また、本発明による第１態様の横型ブラインドにおいて、前記複数の昇降コードの各々によって吊下支持されるボトムレールが、操作部側で重くなるよう、左右方向で非対称の重量割合を有することを特徴とする。
【００２６】
また、本発明による第１態様の横型ブラインドにおいて、前記ボトムレールの重量割合は、当該横型ブラインドの幅及び高さによって選定されていることを特徴とする。
【００２７】
また、本発明による第１態様の横型ブラインドにおいて、前記複数の昇降コードの各々によって吊下支持されるボトムレールが、操作部側ほど高くなるよう、予め傾斜して初期設置されていることを特徴とする。
【００２８】
また、本発明による第１態様の横型ブラインドにおいて、前記ボトムレールの予め傾斜して初期設置される高さ調整は、当該横型ブラインドの幅及び高さによって選定されていることを特徴とする。
【００２９】
更に、本発明による第２態様の横型ブラインドは、長さが異なる複数の昇降コードを有する横型ブラインドであって、前記複数の昇降コードにより吊下支持されるボトムレールが、操作部側ほど高くなるよう、予め傾斜して初期設置されていることを特徴とする。
【００３０】
また、本発明による第２態様の横型ブラインドにおいて、前記複数の昇降コードの移動速度を制限してスラットの下降時の移動速度を一定値以下に制動する速度調整装置を備えることを特徴とする。
【発明の効果】
【００３１】
本発明によれば、長さの異なる昇降コードの昇降操作の繰り返しによっても、ボトムレールの昇降動作に係る水平性を改善することができる。
【図面の簡単な説明】
【００３２】
【図１】本発明による一実施形態の横型ブラインドの概略構成を示す正面図である。
【図２】（ａ）は従来の横型ブラインドにおける所定の昇降操作回数を経過後の上昇動作を概略的に示す正面図であり、（ｂ）は従来の横型ブラインドにおける所定の昇降操作回数を経過後の下降動作を概略的に示す正面図である。
【図３】（ａ）は、本発明による一実施形態の横型ブラインドについて実施例１の概略構成を示す正面図であり、（ｂ）は本発明に係る実施例１の横型ブラインドにおける所定の昇降操作回数を経過後の昇降動作を概略的に示す正面図である。
【図４】本発明に係る実施例１の横型ブラインドに適用可能なストレッチコードによる昇降コードの伸び量に関する説明図である。
【図５】（ａ）は、本発明による一実施形態の横型ブラインドについて実施例２の概略構成を示す正面図であり、（ｂ）は本発明に係る実施例２の横型ブラインドにおける所定の昇降操作回数を経過後の昇降動作を概略的に示す正面図である。
【図６】（ａ）は、本発明による一実施形態の横型ブラインドについて実施例３の概略構成を示す正面図であり、（ｂ）は本発明に係る実施例３の横型ブラインドにおける所定の昇降操作回数を経過後の昇降動作を概略的に示す正面図である。
【図７】（ａ）は、本発明による一実施形態の横型ブラインドについて実施例４の概略構成を示す正面図であり、（ｂ）は本発明に係る実施例４の横型ブラインドにおける所定の昇降操作回数を経過後の昇降動作を概略的に示す正面図である。
【図８】（ａ）は、本発明による一実施形態の横型ブラインドについて実施例５の概略構成を示す正面図であり、（ｂ）は本発明に係る実施例５の横型ブラインドにおける所定の昇降操作回数を経過後の昇降動作を概略的に示す正面図である。
【発明を実施するための形態】
【００３３】
以下、図面を参照して、本発明による一実施形態の横型ブラインドを説明する。尚、本願明細書中、図１に示す横型ブラインドの正面図に対して、図示上方及び図示下方をスラット４の吊り下げ方向に準じてそれぞれ上方向（又は上側）及び下方向（又は下側）と定義し、図示左方向を横型ブラインドの左側、及び、図示右方向を横型ブラインドの右側と定義して説明する。また、以下に説明する例では、図１に示す横型ブラインドの正面図に対して、視認する側を前側（又は室内側）、その反対側を後側（又は室外側）とする。
【００３４】
（全体構成）
図１は、本発明による一実施形態の横型ブラインドの概略構成を示す正面図である。本実施形態の横型ブラインドは、ヘッドボックス１の左右両側及びその中央から吊下支持するラダーコード９を介して多数段のスラット４が吊下支持され、そのラダーコード９の下端にボトムレール５が吊下支持されている。ヘッドボックス１は、複数のブラケット６を介して天井面等の取付面へ固定される。
【００３５】
また、ヘッドボックス１の左右両側における室外側のラダーコード９に併設して昇降コード１０Ｌ，１０Ｒが垂下されるとともに、ヘッドボックス１の中央側における室内側のラダーコード９に併設して昇降コード１０Ｍが垂下され、各昇降コード１０Ｌ，１０Ｍ，１０Ｒの下端にボトムレール５が取着されている。
【００３６】
ヘッドボックス１内にはラダーコード９及び昇降コード１０Ｌ，１０Ｍ，１０Ｒを支持する支持部材１３が配設され、この支持部材１３には六角棒状の駆動軸１２が挿通されている。
【００３７】
支持部材１３にはラダーコード９の上端を取着するチルトドラム１３ａが回転可能に支持され、このチルトドラム１３ａに駆動軸１２が相対回転不能に挿通されている。従って、駆動軸１２が回転されると、当該チルトドラム１３ａが回転し、ラダーコード９により吊下支持された多数段のスラット４の角度が同位相で調節されるようになっている。尚、支持部材１３には、ボトムレール５に一端を取着する昇降コード１０Ｌ，１０Ｍ，１０Ｒの各他端をヘッドボックス１内の長手方向へ案内するよう転向させる転向滑車１３ｂを設けるのが好適である。
【００３８】
ヘッドボックス１内の右端側には操作部３が設けられている。ボトムレール５に一端部を取着した複数の昇降コード１０Ｌ，１０Ｍ，１０Ｒの各々の他端部は、支持部材１３を介してヘッドボックス１内の右端側に案内され、ストッパー装置１４及び速度調整装置１５を介した後、操作部３へと案内され、この操作部３を介してヘッドボックス１の外部へ導出される。
【００３９】
操作部３には、ヘッドボックス１内にギヤ機構（図示せず）が配設される。当該ギヤ機構の入力軸３ａは、ヘッドボックス１に設けられた開口部からヘッドボックス１外へ突出され、その入力軸３ａの先端にチルト操作棒２が連結される。入力軸３ａは、ヘッドボックス１からの昇降コード１０Ｌ，１０Ｍ，１０Ｒのコード導出口を兼ねている。
【００４０】
チルト操作棒２の末端にはチルト操作棒２の回転を操作するためのチルト操作グリップ７が取着され、チルト操作棒２の回転が駆動軸１２の回転へと伝達するよう構成されている。従って、チルト操作グリップ７を回転操作することで、駆動軸１２にその回転を伝達し、支持部材１３を介してラダーコード９により吊下支持された多数段のスラット４の角度を調節することができる。
【００４１】
当該ヘッドボックス１内で案内された複数の昇降コード１０Ｌ，１０Ｍ，１０Ｒは、当該操作部３内に形成されたコード案内経路（図示せず）を経てその入力軸３ａから導出され、チルト操作棒２及びチルト操作グリップ７内に挿通された後、チルト操作グリップ７の下端部において、つまみ８に接続される。
【００４２】
そして、当該つまみ８を操作して、昇降コード１０Ｌ，１０Ｍ，１０Ｒをヘッドボックス１から引き出せば、ボトムレール５が引き上げられて、スラット４が上昇する。チルト操作棒２にはコードフック１１が設けられており、引き出された昇降コード１０Ｌ，１０Ｍ，１０Ｒをコードフック１１に引掛けることで、その取扱いの利便性を高めている。
【００４３】
尚、このようなチルト操作棒を経て昇降コードの移動を手引き操作する横型ブラインドでは、ボトムレール５及びスラット４の自重によりスラット４を下降させることになる。このため、ヘッドボックス１内には昇降コード１０Ｌ，１０Ｍ，１０Ｒの移動をロックするストッパー装置１４が設けられる。尚、本例では、ストッパー装置１４がヘッドボックス１内の操作部３と昇降コード１０Ｒを支持する支持部材１３との間に配置されているが、昇降コード１０Ｌ，１０Ｍ，１０Ｒの配回しによっては、ヘッドボックス１内の操作部３と昇降コード１０Ｒを支持する支持部材１３との間でなくともよく、昇降コード１０Ｒ，１０Ｍをそれぞれ支持する支持部材１３間や、操作部１３の入力軸１３ａ側に設けることもできる。
【００４４】
従って、昇降コード１０Ｌ，１０Ｍ，１０Ｒの引き出し操作を停止すれば、ストッパー装置１４が作動して、スラット４及びボトムレール５の自重降下が防止される。また、ストッパー装置１４の作動を解除すれば、スラット４及びボトムレール５はその自重に基づいて下降する。
【００４５】
このようなストッパー装置１４の作動解除でボトムレール５及びスラット４の自重によりスラット４を自重降下させ、昇降コード１０Ｌ，１０Ｍ，１０Ｒの移動を操作することでスラット４を上昇させることができる。本実施形態における横型ブラインドでは、そのスラット４の下降を適当な速度で行い得るよう、ヘッドボックス１内の操作部３と昇降コード１０Ｒを支持する支持部材１３との間に、昇降コード１０Ｌ，１０Ｍ，１０Ｒの移動速度を制限してスラット４の下降時の移動速度を一定値以下に制動する速度調整装置１５が設けられる。この速度調整装置１５を設けることで、下降時のみ減速してブレーキ力を働かせ減速してボトムレール５及びスラット４を降下させることができる。
【００４６】
この速度調整装置１５の設置により、ストッパー装置１４の作動解除でボトムレール５及びスラット４がその自重による下降する際に、その下降音やボトムレール５の床面との衝突音を軽減させることができる。
【００４７】
ところで、昇降コード１０Ｌ，１０Ｍ，１０Ｒの移動を手引き操作する横型ブラインドでは、複数の昇降コード１０Ｌ，１０Ｍ，１０Ｒをヘッドボックス１内で案内し、ヘッドボックス１の異なる位置から分けて垂下させることになるため、それぞれの昇降コード１０Ｌ，１０Ｍ，１０Ｒは、それぞれの長さが異なるものとなる。尚、通常の昇降コードは、極細の合成繊維が編み込まれて構成されている。
【００４８】
しかしながら、このような通常の昇降コードを用いて構成した従来の横型ブラインドでは、それぞれの昇降コード１０Ｌ，１０Ｍ，１０Ｒに同一荷重（ボトムレール５）が付与されると、各昇降コード１０Ｌ，１０Ｍ，１０Ｒの単位長さあたりの荷重の違いにより、昇降コードの短いものほど伸び量が大きくなる傾向がある。このため通常の昇降コードの伸び量は、当該荷重に依存し経時的にも変化する。
【００４９】
そして、従来の横型ブラインドにおいては、昇降コード１０Ｌ，１０Ｍ，１０Ｒの昇降操作の使用頻度が増大するに従い、各昇降コード１０Ｌ，１０Ｍ，１０Ｒが伸びることに起因してボトムレール５の水平性が維持されず、ボトムレール５の上昇時の片上がり（図２（ａ）参照）、又はボトムレール５の下降時の片下がりが生じる（図２（ｂ）参照）。
【００５０】
特に、ヘッドボックス１内にて、昇降コード１０Ｌ，１０Ｍ，１０Ｒの移動速度を制限してスラット４の下降時の移動速度を一定値以下に制動する速度調整装置１５が設けられる場合には、比較的緩やかにスラット４及びボトムレール５が下降するため、ボトムレール５の下降時の片下がりが目立つようになり、動的意匠性を損なう。
【００５１】
そこで、本発明に係る横型ブラインドでは、以下に説明する各実施例の構成とすることで、長さの異なる昇降コード１０Ｌ，１０Ｍ，１０Ｒ等の昇降操作の繰り返しによって生じうるボトムレール５の昇降動作に係る水平性を改善する。
【００５２】
（実施例１）
図３（ａ）は、本発明に係る実施例１の横型ブラインドの概略構成を示す正面図であり、図３（ｂ）は本発明に係る実施例１の横型ブラインドにおける所定の昇降操作回数を経過後の昇降動作を概略的に示す正面図である。
【００５３】
図３（ａ）に示すように、本発明に係る実施例１の横型ブラインドでは、ヘッドボックス１の操作部３から遠方の左端側及び中央側の昇降コード１０Ｌ，１０Ｍについては、通常の極細の合成繊維が編み込まれて構成された初期コードを使用し、ヘッドボックス１の操作部３に近方の昇降コード１０Ｒについては、比較的伸び量が小さい所定のストレッチコード又は低伸性コードを使用するよう構成される。
【００５４】
即ち、昇降コード１０Ｌ，１０Ｍは、昇降コード１０Ｒよりも長くなり、昇降コード１０Ｒよりも単位長さあたりの荷重（ボトムレール５）が小さくなるため、通常の極細の合成繊維が編み込まれて構成された初期コードを使用する。
【００５５】
一方、昇降コード１０Ｒは、昇降コード１０Ｌ，１０Ｍよりも短くなり、昇降コード１０Ｌ，１０Ｍよりも単位長さあたりの荷重（ボトムレール５）が大きくなるため、比較的伸び量が小さい所定のストレッチコード又は低伸性コードを使用するよう構成される。
【００５６】
ストレッチコードは、予め所定の荷重が付与されて伸ばされたコードである。
【００５７】
低伸性コードは、単位長さあたりの延び量が予め小さい低伸性繊維が編み込まれたものか、又は芯付きのコードである。
【００５８】
ここで、図４を参照して、初期コード及びストレッチコードについて説明する。初期コードは、繰り返し荷重又は一定荷重が付与されていない通常の極細の合成繊維が編み込まれて初期形成されたコードである（図４に示す繰り返し荷重又は一定荷重が“０”）。
【００５９】
一方、この初期コードに対し設定荷重を予め付与して低伸性となったコードであり、横型ブラインドの初期設定時の伸び量（設定伸び量）が小さいものとなる。
【００６０】
ここで、「繰り返し荷重」とは、所定長さの昇降コードに対し所定の荷重を所定時間加えた後、当該所定の荷重の付与を所定時間解除する動作を繰り返すことにより課される動荷重として定義される。図４では、所定の荷重の積算量を横軸に示している。通常の横型ブラインドでは、ストッパー装置１４のロック又はロック解除の繰り返しにより、このような繰り返し荷重が課される。
【００６１】
また、「一定荷重」とは、所定長さの昇降コードに対し所定の荷重を所定時間加えることにより課される静荷重として定義される。一般的に、一定荷重による昇降コードの伸び量を示す特性と、繰り返し荷重による昇降コードの伸び量を示す特性は、図４に示すように相関がある。
【００６２】
従って、初期設置時（出荷時）の横型ブラインドに対し、使用される複数の昇降コードの各々を所定長さの同一長で切り取り、同一長で切り取ったそれぞれの昇降コードに対し設定荷重（１ｋｇ重）を一定荷重で加えたときに、当該所定長さに対し０．２％以上の伸び量が生じるものはストレッチコード／低伸性コードではないと判断され、当該所定長さに対し０．２％未満の伸び量のものはストレッチコード／低伸性コードであると判断される。
【００６３】
そして、初期設置時（出荷時）の横型ブラインドに対し、図３（ａ）に示すように、昇降コード１０Ｌ，１０Ｍについては初期コードを使用し、昇降コード１０Ｒについては、比較的伸び量が小さい所定のストレッチコード又は低伸性コードを使用することで、図３（ｂ）に示すように、所定の昇降操作回数（例えば１００回以上）を経過後の昇降動作を経ても、各昇降コード１０Ｌ，１０Ｍ，１０Ｒの伸び量のバランスが取れて、ボトムレール５の昇降動作に係る水平性をほぼ保つことができるようになる。換言すれば、１００回程度（２０〜１００回）の昇降操作を繰り返すことで、ボトムレール５の水平性がほぼ維持されるようなる。
【００６４】
また、当該横型ブラインドの幅及び高さによって、昇降コード１０Ｒを所定のストレッチコード又は低伸性コードとするか否かを規定するよう選定されている。これにより、当該横型ブラインドの幅及び高さによって、一意に昇降コード１０Ｒを通常の昇降コード（初期コード）とするか、所定のストレッチコード又は低伸性コードとするかを定めることができ、製造負担を低減させることができる。
【００６５】
（実施例２）
図４（ａ）は、本発明に係る実施例２の横型ブラインドの概略構成を示す正面図であり、図４（ｂ）は本発明に係る実施例２の横型ブラインドにおける所定の昇降操作回数を経過後の昇降動作を概略的に示す正面図である。
【００６６】
実施例２では、実施例１の昇降コード１０Ｒを所定のストレッチコード又は低伸性コードとする構成に加えて、所定の昇降操作回数を経過後にもボトムレール５の傾きが生じる場合を考慮して、予め左右方向で非対称の重量割合となるボトムレール５を採用して調整しておく例である。
【００６７】
このため、実施例２では、ボトムレール５には、左右方向で非対称の重量割合となるよう部分的に錘部材５ａが設けられる。図５（ａ）に示す例では、ヘッドボックス１から垂下される昇降コード１０Ｍ，１０Ｒのボトムレール５における取着位置間に、所定重量の錘部材５ａを設置する例を示しているが、錘部材５ａの設置個所は図示する例に限定する必要はない。
【００６８】
そして、図５（ａ）に示すように、初期設置時（出荷時）の横型ブラインドに対し、実施例１の構成に加えて、予め左右方向で非対称の重量割合となるボトムレール５を採用して調整しておくことで、図５（ｂ）に示すように、所定の昇降操作回数（例えば１００回以上）を経過後の昇降動作を経ても、各昇降コード１０Ｌ，１０Ｍ，１０Ｒの伸び量のバランスが取れて、ボトムレール５の昇降動作に係る水平性をほぼ保つことができるようになる。
【００６９】
特に、昇降コード１０Ｒを所定のストレッチコード又は低伸性コードとするときに、速度調整装置１５における複数の昇降コード１０Ｌ，１０Ｍ，１０Ｒの各々に対する制動力として均一性が保てなくなる場合も、左右方向で非対称の重量割合のボトムレール５とすることで、所定の昇降操作回数（例えば１００回以上）を経過後にボトムレール５の水平性がほぼ維持されるよう予め調整される。
【００７０】
また、錘部材５ａの設置個所及び重量を含むボトムレール５の左右方向で非対称の重量割合についても、当該横型ブラインドの幅及び高さによって規定するよう選定されている。これにより、当該横型ブラインドの幅及び高さによって、一意に錘部材５ａの設置個所及び重量を含む左右方向で非対称の重量割合を定めることができ、製造負担を低減させることができる。
【００７１】
（実施例３）
図６（ａ）は、本発明に係る実施例３の横型ブラインドの概略構成を示す正面図であり、図６（ｂ）は本発明に係る実施例３の横型ブラインドにおける所定の昇降操作回数を経過後の昇降動作を概略的に示す正面図である。
【００７２】
実施例３では、実施例１の昇降コード１０Ｒを所定のストレッチコード又は低伸性コードとする構成に加えて、或いは全ての昇降コード１０Ｌ，１０Ｍ，１０Ｒについて通常の昇降コード（初期コード）を用いる構成に対し、所定の昇降操作回数を経過後にもボトムレール５の傾きが生じる場合を考慮して、左右方向で予め傾斜させてボトムレール５の高さ調整を行っておく例である。
【００７３】
このため、実施例３では、図６（ａ）に示すように、初期設置時（出荷時）の横型ブラインドに対し、複数の昇降コード１０Ｌ，１０Ｍ，１０Ｒにより吊下支持されるボトムレール５が、各昇降コード１０Ｌ，１０Ｍ，１０Ｒの引き操作を行う操作部３側ほど高くなるよう、予め傾斜して初期設置されている。
【００７４】
例えば、初期設置時（出荷時）の横型ブラインドに対し、全ての昇降コード１０Ｌ，１０Ｍ，１０Ｒについて通常の昇降コード（初期コード）を用いることに加えて、左右方向で予め傾斜させてボトムレール５の高さ調整を行う際には、各昇降コード１０Ｌ，１０Ｍ，１０Ｒにおける１００回程度の昇降操作による伸び量差に相当する傾斜Δｈ（＝３〜５ｍｍ程度）の調整を行う。
【００７５】
また、初期設置時（出荷時）の横型ブラインドに対し、全ての昇降コード１０Ｌ，１０Ｍ，１０Ｒについて通常の昇降コード（初期コード）を用いることに加えて、左右方向で予め傾斜させてボトムレール５の高さ調整を行う際には、各昇降コード１０Ｌ，１０Ｍ，１０Ｒにおける１００回程度の昇降操作による伸び量差に相当する傾斜Δｈ（＝５〜１０ｍｍ程度）の調整を行う。
【００７６】
このように左右方向で予め傾斜させてボトムレール５の高さ調整を行っておくことで、図６（ｂ）に示すように、所定の昇降操作回数（例えば１００回以上）を経過後の昇降動作を経ても、各昇降コード１０Ｌ，１０Ｍ，１０Ｒの伸び量のバランスが取れて、ボトムレール５の昇降動作に係る水平性をほぼ保つことができるようになる。尚、図６に示す例では、３本の昇降コードを用いる横型ブラインドを例示しているが、４本以上の昇降コードを用いる横型ブラインドにおいても同様に構成することができる。
【００７７】
また、左右方向で予め傾斜させたボトムレール５の高さ調整についても、当該横型ブラインドの幅及び高さによって規定するよう選定されている。これにより、当該横型ブラインドの幅及び高さによって、一意に左右方向で予め傾斜させたボトムレール５の高さ調整を定めることができ、製造負担を低減させることができる。
【００７８】
（実施例４）
図７（ａ）は、本発明に係る実施例４の横型ブラインドの概略構成を示す正面図であり、図７（ｂ）は本発明に係る実施例４の横型ブラインドにおける所定の昇降操作回数を経過後の昇降動作を概略的に示す正面図である。
【００７９】
実施例４では、実施例１の昇降コード１０Ｒを所定のストレッチコード又は低伸性コードとする構成に加えて、或いは全ての昇降コード１０Ｌ，１０Ｍ，１０Ｒについて通常の昇降コード（初期コード）を用いる構成に対し、所定の昇降操作回数を経過後にもボトムレール５の傾きが生じる場合を考慮して、予め左右方向で非対称の重量割合となるボトムレール５を採用し、尚且つ左右方向で予め傾斜させてボトムレール５の高さ調整を行っておく例である。
【００８０】
このため、実施例４では、図７（ａ）に示すように、初期設置時（出荷時）の横型ブラインドに対し、複数の昇降コード１０Ｌ，１０Ｍ，１０Ｒにより吊下支持されるボトムレール５が、予め左右方向で非対称の重量割合となるボトムレール５として調整され、各昇降コード１０Ｌ，１０Ｍ，１０Ｒの引き操作を行う操作部３側ほど高くなるよう、予め傾斜して初期設置されている。
【００８１】
このように左右方向で予め傾斜させてボトムレール５の高さ調整を行っておくことで、図７（ｂ）に示すように、所定の昇降操作回数（例えば１００回以上）を経過後の昇降動作を経ても、各昇降コード１０Ｌ，１０Ｍ，１０Ｒの伸び量のバランスが取れて、ボトムレール５の昇降動作に係る水平性をほぼ保つことができるようになる。尚、図７に示す例では、３本の昇降コードを用いる横型ブラインドを例示しているが、４本以上の昇降コードを用いる横型ブラインドにおいても同様に構成することができる。
【００８２】
また、予め左右方向で非対称とする重量割合、及び左右方向で予め傾斜させたボトムレール５の高さ調整についても、当該横型ブラインドの幅及び高さによって規定するよう選定されている。これにより、当該横型ブラインドの幅及び高さによって、一意に左右方向で予め傾斜させたボトムレール５の高さ調整を定めることができ、製造負担を低減させることができる。
【００８３】
（実施例５）
図８（ａ）は、本発明に係る実施例５の横型ブラインドの概略構成を示す正面図であり、図８（ｂ）は本発明に係る実施例５の横型ブラインドにおける所定の昇降操作回数を経過後の昇降動作を概略的に示す正面図である。
【００８４】
図８（ａ）に示すように、本発明に係る実施例５の横型ブラインドでは、ヘッドボックス１の操作部３から遠方の左端側及び中央側の昇降コード１０‐１，１０‐２については、通常の極細の合成繊維が編み込まれて構成された初期コードを使用し、ヘッドボックス１の操作部３に近方の昇降コード１０‐３，１０‐４については、伸び量が小さい所定のストレッチコード又は低伸性コードを使用するよう構成される。
【００８５】
即ち、４本以上の長さの異なる昇降コードを有する横型ブラインドに対しては、ヘッドボックス１の非操作部寄りの複数の昇降コードについて、通常の極細の合成繊維が編み込まれて構成された初期コードを使用し、ヘッドボックス１の操作部寄りの複数の昇降コードについては、比較的伸び量が小さい所定のストレッチコード又は低伸性コードを使用するよう構成される。
【００８６】
そして、初期設置時（出荷時）の横型ブラインドに対し、図８（ａ）に示すように、昇降コード１０‐１，１０‐２については初期コードを使用し、昇降コード１０‐３，１０‐４については、比較的伸び量が小さい所定のストレッチコード又は低伸性コードを使用することで、図８（ｂ）に示すように、所定の昇降操作回数（例えば１００回以上）を経過後の昇降動作を経ても、各昇降コードの伸び量のバランスが取れて、ボトムレール５の昇降動作に係る水平性をほぼ保つことができるようになる。換言すれば、１００回程度（２０〜１００回）の昇降操作を繰り返すことで、ボトムレール５の水平性がほぼ維持されるようなる。
【００８７】
尚、実施例５の横型ブラインドに対し、上述した実施例２乃至実施例４と同様に、予め左右方向で非対称の重量割合となるボトムレール５として調整することや、各昇降コード１０Ｌ，１０Ｍ，１０Ｒの引き操作を行う操作部３側ほど高くなるよう、予め傾斜してボトムレール５を初期設置すること、或いはこれらの組み合わせで構成することができる。
【００８８】
以上、特定の実施形態の例及び実施例を挙げて本発明を説明したが、本発明は前述の実施形態の例に限定されるものではなく、その技術思想を逸脱しない範囲で種々変形可能である。例えば、上述した実施形態の例では、チルト操作棒２を介して、つまみ８により昇降コードの引き操作を行う例を説明したが、ヘッドボックスのコード導出口から昇降コードを露出して垂下される横型ブラインドにも適用することができ、長さの異なる昇降コードを有する横型ブラインドであれば、同様に構成することができる。
【００８９】
また、全ての昇降コードについて所定のストレッチコード又は低伸性コードを使用することでも、ボトムレールの片上がり又は片下がりの影響を軽減させることが可能であるが、このようなストレッチコード又は低伸性コードは通常の昇降コードに比べてコストが高くなる傾向にあるため、できる限り少ない使用本数とすることが好ましい。従って、複数の昇降コードのうち、少なくとも最短長さの昇降コードを他の昇降コードに対し異なる性質のコードとすることで、コスト及び性能について双方のバランスをとることができる。
【産業上の利用可能性】
【００９０】
本発明によれば、長さの異なる昇降コードの昇降操作の繰り返しによっても、ボトムレールの昇降動作に係る水平性を改善することができるので、長さの異なる昇降コードを有する横型ブラインドの用途に有用である。
【符号の説明】
【００９１】
１  ヘッドボックス
２  チルト操作棒
３  操作部
４  スラット
５  ボトムレール
５ａ  錘部材
６  ブラケット
７  チルト操作グリップ
８  つまみ
９  ラダーコード
１０Ｌ，１０Ｍ，１０Ｒ，１０‐１，１０‐２，１０‐３，１０‐４  昇降コード
１４  ストッパー装置
１５  速度調整装置
【図１】
2018053582.tif 000003
【図２】
2018053582.tif 000004
【図３】
2018053582.tif 000005
【図４】
2018053582.tif 000006
【図５】
2018053582.tif 000007
【図６】
2018053582.tif 000008
【図７】
2018053582.tif 000009
【図８】
2018053582.tif 000010